(57)【特許請求の範囲】
【請求項１】
ラベル付けされた生体試料（２０）を、該生体試料の放射光の変動する強度を用いて画像化する方法であって、
励起光源（６０）から放射される光（６５）により、ラベル付けされた生体試料（２０）の関心領域部分を照明する（２００）ステップと、
前記ラベル付けされた生体試料（２０）から、散乱し、反射し、蛍光する光を、繰り返し集光し、それによって、前記生体試料の前記関心領域部分の時系列画像を生成する（２０５、２１０）ステップであって、該時系列画像の画像は放射光の変動する強度を有する、ステップと、
複数の差分画像を生成するステップであって、各差分画像が、前記時系列画像の後期メンバーと前記時系列画像の初期のメンバーとの間の前記時系列画像における２つの画像を選択し、該後期のものから、該初期のもののピクセル強度を引くことにより生成される、ステップと、
最終画像を生成するために前記複数の差分画像をフィルタ処理し、続いて、和をとるステップと、を含む方法。
【請求項２】
前記フィルタ処理に用いるフィルタは、ハイパス・フィルタ、トップハット・フィルタまたはメキシカンハット・フィルタのうちの１つである、請求項１に記載の方法。
【請求項３】
前記照明は、レーザー照射によって提供される、請求項１または２に記載の方法。
【請求項４】
前記ラベル付けされた生体試料（２０）は、フルオロフォアでラベル付けされている、請求項１ないし３のいずれか１項に記載の方法。
【請求項５】
前記時系列画像のメンバーの１つを生成するために、ラベル付けされた生体試料（２０）をスキャンするステップを更に含む請求項１ないし４のいずれか１項に記載の方法。
【請求項６】
前記複数の差分画像の前記生成するステップ（２１５）は、前記時系列画像のシーケンシャルなメンバーの間で前記差分画像を生成するステップを含む、請求項１ないし５のいずれか１項に記載の方法。
【請求項７】
合成三次元画像を生成するために、前記最終画像をラベル付けされた生体試料の三次元画像と結合する（２３０）ステップを更に含む請求項１ないし６のいずれか１項に記載の方法。
【請求項８】
ラベル付けされた生体試料（２０）を、該生体試料の放射光の変動する強度を用いて画像化するための装置（１０）であって、
前記ラベル付けされた生体試料（２０）の関心領域部分を照明するための励起光源（６０）と、
前記ラベル付けされた生体試料（２０）から、散乱し、反射し、蛍光する光を、繰り返し集光し、それによって、前記生体試料の前記関心領域部分の時系列画像を生成する検出デバイス（８０）であって、該時系列画像の画像は放射光の変動する強度を有する、検出デバイス（８０）と、
前記検出デバイス（８０）によって生成される時系列画像のメンバーを保存するための画像メモリ（１１０）と、
複数の差分画像であって、各差分画像が、前記時系列画像の後期メンバーと前記時系列画像の初期のメンバーとの間の前記時系列画像における２つの画像を選択し、該後期のものから、該初期のもののピクセル強度を引くことにより生成される、複数の差分画像を生成し、最終画像を生成するために前記複数の差分画像をフィルタ処理し、続いて、和をとる画像プロセッサ（１０５）と、
を備える、装置。
【請求項９】
前記励起光源（６０）は、走査型レーザーである、請求項８に記載の装置。
【請求項１０】
前記検出デバイス（８０）は、電荷結合素子である、請求項８ないし９のいずれか１項に記載の装置。
【請求項１１】
前記ラベル付けされた生体試料（２０）からの放射線は、蛍光放射線である、請求項８ないし１０のいずれか１項に記載の装置。
【請求項１２】
前記画像プロセッサ（１０５）は、前記差分画像にフィルタを適用するのに適応している、請求項８ないし１０のいずれか１項に記載の装置。
【請求項１３】
前記最終像を表示するための表示装置（１２０）を更に備える請求項８ないし１２のいずれか１項に記載の装置。
【請求項１４】
顕微鏡に、請求項１ないし７のいずれか１項に記載の方法による、ラベル付けされた生体試料（２０）の画像化のための方法を実行させるコンピュータ・プログラム。
【請求項１５】
ラベル付けされた生体試料を形成するためにラベルで腫瘍細胞にラベル付けするステップと、
請求項１ないし７のいずれか１項に記載の方法にしたがって、ラベル付けされた生体試料を画像化するステップであって、それによって腫瘍細胞を識別する、ステップと、
を含む、腫瘍細胞の識別のための方法。
【発明の詳細な説明】
【技術分野】
【０００１】
関連出願へのクロスリファレンス
本出願は、２０１０年４月２８日に出願された英国特許出願番号１００７０５５．５号に基づく優先権とその利益を要求するものである。
【０００２】
本願発明の分野は、ラベル付けされた生体試料の画像化のための方法、装置、および、コンピュータ・プログラム製品に関するものである。
【背景技術】
【０００３】
いくつかのいわゆる「超解像度」画像化技術が最近登場してきた。これらの超解像度画像化技術は、誘導放射抑制(ＳＴＥＤ：Stimulated Emission Depletion)、光活性化局在顕微鏡法（ＰＡＬＭ：photo-activated localization microscopy）、および、確率的光学再構築顕微鏡法（ＳＴＯＲＭ：stochastic optical reconstruction microscopy）を含む。これらの超解像度画像化技術は、空間的または時間的に生体試料に付着したフルオロフォア標識の放出を切り離すことによって、ラベル付けされた生体試料の画像化を可能にし、それにより、従来の光学顕微鏡の解像度限界を克服する。ＰＡＬＭとＳＴＯＲＭのような方法は、フルオロフォア標識の少数だけを活性化させ、その後に調整される。これらの方法は、放出（蛍光）が単一の点から来ると仮定している。第２のドーナツ形のＳＴＥＤレーザを用いて、エミッタ（フルオロフォア）の近傍のものを回転することによって、ＳＴＥＤはこれを達成する。したがって、そのような従来の方法は、単一のラベル付けされた分子だけを局所化する、あるいは、空間的不均一照射および非線形光応答を使用する。生物学的研究へのインパクトが与えられると、超解像度画像化技術は、このように、大いに注目を得た。超解像度デバイスのアセンブリ、および、超解像度デバイスを動作させる、あるいは、統合化ソリューションを得ることはコストが高くなりえる。また、カスタマイズされたシステムは、現在、商用システムを上回る性能を示している。
【０００４】
共焦点レーザ走査型顕微鏡法は、ある程度の深さ選択性を有する複合オブジェクトの高解像度光学画像を得るための方法の１つの例である。複合オブジェクトは、生物学的試料であり得る。しかし、それに制限するものではない。複合オブジェクトの光学画像は、光検出デバイスによって得られ、その後、コンピュータによって再構築される。このコンピュータ再構築は、複合オブジェクトの三次元再構築の生成を可能にする。
【０００５】
共焦点レーザ走査型顕微鏡において、レーザ光線は、開口を貫通し、レーザ光線は、対物レンズによってその後、生物学的試料の表面の内に、または、その上に小体積に焦束される。生物学的試料、抗体または蛍光粒子は、蛍光分子のようなフルオロフォアでラベル付けすることができる。フルオロフォアによる生物学的試料のラベリングは、特に、顕微鏡法の生物学的応用に対して、一般的である。散乱し、反射したレーザ光線は、生物学的試料のラベリングのフルオロフォアからいかなる蛍光とも同様に、対物レンズによって集められる。従って、ビーム・スプリッタは、そのスペクトル特性に基づいて集めた光を切り離す。次に、集めた光は、例えば、光感応デバイスなどのセンサによって検出される。コンフォーカル顕微鏡法で使われる、この光感応デバイスは、例えば、光電子増倍管などの典型的なポイント検出器である。スピニング・ディスク顕微鏡において、光感応デバイスは、ＣＣＤでありえる。さらに、光感応デバイスの前に、当初の波長のレーザ光線（すなわち、散乱し、反射したレーザ光線）をブロックして、特定の蛍光波長で光の選択的な通過を可能とするフィルタがあってもよい。光感応デバイスは、コンピュータに伝達される光信号を電気信号に変える。その電気信号は、コンピュータの画像メモリに格納される。
【０００６】
特定のオブジェクトの時系列画像がつくられ、差分画像が生成される、画像システムのいくつかの例が、当該技術において知られている。例えば、米国特許第４５４２４５９号は、注入されたＸ線造影剤が関心領域の血管に到着する前後に、低エネルギーと高エネルギーとのＸ線露出が行われるＸ線ハイブリッド減算のための整合フィルタを教示する。’４５９の特許は、ハイブリッド減算画像の信号ないしデータ表現を生み出す一連のＸ線像を得るための２つの異なる手順を教示する。’４５９の方法は、骨による信号を除くのに用いることができ、Ｘ線造影剤残余で満たされた血管の信号表現を確実にすることができる。
【０００７】
米国特許第６０６１４７６号は、異なる時間に特定のオブジェクト２つの画像が取られるオブジェクトを検出し、１つの画像が、他の画像から引かれる方法を教示する。結果として生じる引かれた画像は、２つのコンポーネント、ポジティブ差分画像とネガティブ差分画像に分けられる。２つのコンポーネントは、オブジェクトが存在するか否かを決定するために処理される。’４７６の特許において挙げられた例では、その方法は、オブジェクトが存在か否かに関して、ソルダーペーストを調べるのに用いられる。
【先行技術文献】
【特許文献】
【０００８】
【特許文献１】米国特許第４５４２４５９号
【特許文献２】米国特許第６０６１４７６号
【発明の概要】
【０００９】
ラベル付けされた生体試料の画像化のための方法が開示される。この方法は、ラベル付けされた生体試料を一定時間にわたり照明することを含む。次に、ラベル付けされた生体試料の時系列画像が生成され、時系列画像の後のメンバーと前記時系列画像の初期のメンバーと間の複数の差分画像が生成される。次に、ラベル付けされた生体試料の最終画像を生成するために、その差分画像が結合される。
【００１０】
この方法は、従来の技術の共焦点または広視野顕微鏡法に基づいた従来の方法により提供されるものより大きな解像度（約１００ｎｍ）を持つ画像の生成を可能にする。
【００１１】
ここでの開示の方法は、２つのエミッタ、すなわち、生体試料に付着されるラベル、がスパロウ制限によって説明されるように２つのエミッタが単一の識別できない回折像を形成するような程に近接しているポイントの遠く向こうで下位回折画像化を可能にする。ここでの開示で記述されるアプローチは、時系列画像を得ために、同じ領域を複数回画像化することから抽出している空間情報に基づいている。このように、フルオロフォアを漂白する。通常単一の走査において得られる画像は、このように複数の系列画像に「切り離される」。この系列画像から、生体試料の下にある構造の位置情報を差分画像を形成するために、系列画像を処理することとエミッタの局所漂白された蛍光の最大を検出することによって抽出することができる。次に、複数の系列画像が組み合わされて、「超解像度」画像を構築する。差分画像の処理は、エミッタの全てが同時に画像化されるよりよい、下にある構造の再構成と局在化を可能にするこの方法は、既存の顕微鏡（すなわちカスタム化することなく）の解像度の強化を可能にし、複数の検出チャンネルに適用できる。
【００１２】
単一のエミッタの明白な識別は、（点描画法のアプローチと違って）例えば、前述したＰＡＬＭ法とＳＴＯＲＭ方法などは、この方法に対しては要求されない。したがって、位置ごとの複数のエミッタの異なる漂白率を用いることができる。本願の開示の方法は、既存の方法と同様の超解像度を可能にする。しかし、専門的な計装、専門的に特別仕立てのラベルまたは単一の分子精度の必要を取り除く。一方、マルチチャネル実験を可能にしている。
【００１３】
ここでの開示の方法は、単一つのラベル付けされた分子、または不均一性のフォト照明の画像化を必要としない。エミッタとして特別仕立てのフルオロフォアの要求がない。この方法は、エミッタの繰り返しの点滅を必要とせず、したがって、超解像度光学揺らぎ画像化（SOFI）のような従来の方法で使われる揺らぎ分析とは異なる。この開示の方法は、画像化された生体試料の領域の中で輝度関係を維持する。
【００１４】
ここで開示した方法は、また、例えば、ＳＴＥＤ方法、またはエミッタの飽和励起を含んでいる方法から知られる空間的に制御された飽和フルオロフォア・デプリーションの必要もない。
【００１５】
本願開示の１つの態様において、生成された最終画像の解像度を改良するために、数学的フィルタを、差分画像に適用することができる。この数学的フィルタはハイパスフィルタである。しかし、例えば、トップハット・フィルタやメキシカンハット・フィルタを除外するものではない。数学的フィルタは、また、逆畳込みフィルタであることもできる。
【００１６】
ラベル付けされた生体試料は、一般的に、例えばレーザなどの励起光源から照明されるこの励起光源は、蛍光を生じるラベルとして使われるフルオロフォアを励起する。
【００１７】
本願開示のさらなる態様において、生体試料の合成三次元画像を生成するために、ラベル付けされた生体試料の三次元画像と共に生成された最終画像を結合することができる。
【００１８】
ラベル付けされた生体試料の画像化のための装置も、また、開示されている。この装置は、少なくとも一部のラベル付けされた生体試料を照明するための照明源と、ラベル付けされた生体試料から放射線を検出するための検出デバイスとを備える。この装置は、検出デバイスと画像プロセッサによって生成された時系列画像のメンバーを格納する画像メモリを更に含む。画像プロセッサは、時系列画像の後のメンバーと時系列画像の以前のメンバーとの間の複数の差分画像を生成するのに適している。画像プロセッサは、ラベル付けされた生体試料の最終画像を生成するために複数の差分画像を結合する。
【００１９】
装置は、共焦点レーザ走査型顕微鏡または広視野顕微鏡でありえる。
【００２０】
画像プロセッサは、例えば、トップハット・フィルタまたはメキシカンハット・フィルタなどハイパスフィルタ、を含むことができる。しかし、それらに限られるものではない。他のタイプのフィルタ、例えば、逆畳込みフィルタは、制限なく使用することができる。
【００２１】
ラベル付けされた生体試料の画像化のためのコンピュータ・プログラム製品も、開示される。コンピュータ・プログラム製品は、ラベル付けされた生体試料の画像化の方法を実行するために、走査型共焦点顕微鏡法を行わせる制御ロジックをその中で格納する非一時的コンピュータ読取り可能媒体を含む。
【００２２】
本願開示の方法と装置は、構造と挙動または生体系の調査において多数の応用を見つけることができる。この方法と装置は、また、外科や診断手順に使うこともできる。
【図面の簡単な説明】
【００２３】
【図１】本願開示の態様にしたがう装置の実施例を示す。
【図２】本願開示の態様にしたがう方法の概要を示す。
【図３】本願開示の方法にしたがって生成された画像の種々の例を示す。図３Ａにおいて、スケールバーは１００ｎｍである。
【図４】本願開示の方法にしたがって生成された画像のさらなる例を示す。図４Ａ、  ４Ｋ、  ４Ｌにおいて、スケールバーは１μｍである。図４Ｍにおいて、スケールバーは１００ｎｍである。図４Ｐおよび４Ｓにおいて、スケールバーは２００ｎｍである。図４Ｇは、三次元表現を示す。図４Ｈ〜４Ｊは、ＧＦＰタグ付けダブルコルチン（ＤＣＸ）のライブ画像化を示す。
【図５】本願開示の方法のインシリコ・モデルの結果を示す。
【図６】本願開示の方法を使用する二次元テスト画像処理を示す。
【図７】ショウジョウバエ神経筋接合部（ＮＭＪ）のシナプス・ボタンの画像化のために、本願開示の方法を用いたものと、用いないものの視野顕微鏡の使用を示す。
【発明を実施するための形態】
【００２４】
本願発明は、次に、図面に基づいて記述される。ここに記述される発明の実施形態と態様は、例としてのみであり、いかなる形であれ、特許請求の範囲の保護範囲を制限しないことが理解される。本願発明は、特許請求の範囲とその均等価物によって定義される。本願発明の１つの態様または実施例の特徴は、本願発明の異なる実施形態や態様の特徴と結合することができることが理解される。
【００２５】
図１は、特に、顕微鏡１０における本願発明の態様にしたがう装置の実施例を示す。生体試料２０は、励起光源６０から発される光６５で照明される。光６５は、第１の開口５０を通って、対物レンズ３０に通過する。対物レンズ３０が、光６５を生体試料２０に照明し集中させるのに用いられる。
【００２６】
本願開示で用いられる用語「生体試料」または「生物学的試料」は、複雑な試料を指し、たとえば、人間や動物、植物、バクテリア、ウイルス、イースト、真菌、その他の生物源から採集した生物物質のサンプルを意味する。用語「生体試料」は、制限的な目的なしで、器官、オルガネラ、組織、体液、細胞、組織または細胞の培養物、ならびに、それらの上澄とリンスを含む。生体試料は、また、例えば多糖などの分子、核酸、蛋白、ペプチド、脂質、および、それらの由来物を含む生体試料は、また、例えば、均質化または抽出など必要に応じて生体試料に前処理を受けることによって、得ることができる。そのような前処理は、検査対象の生体試料に依存して、当業者によって適切に選ぶことができる。本願開示はまた、制限的ではなく、例えば、舌下細胞、脳サンプル、皮膚サンプル、器官サンプル、胎盤組織、胎児細胞またはその入手可能な細胞の他のどのソースを含む人間のまたは動物の体からの組織サンプルなどの生体試料を含む。本願開示はまた、例えば人間や動物の体からの体液などの生体試料を含む。特に、サンプルは、全血、血漿、血清、脳体液、痰、便、生検材料、骨髄、口のリンス、組織、尿またはそれらの混合物でありえる。
【００２７】
本願開示で使われる用語「ラベル付けされた生体試料」は、検出可能なラベルを含む生体試料２０の任意のタイプを含むことを意図する。生体試料２０は、検出可能なラベルとして機能する粒子（図示せず）でラベル付けすることができる。検出可能なラベルは、制限するものではないが、酵素、フルオロフォア、蛍光染料、電磁ラベルまたは放射性ラベルであり得る。本願開示の態様において、ラベル付けされた生体試料２０で使われる検出可能なラベルは、フルオロフォアであり、励起光源６０は、レーザである。この励起光源６０は、前記検出可能なラベル（すなわちフルオロフォア）にラベル付けされた生体試料２０において、蛍光を発光させるのに適している波長の光を発する。励起光源６０は、レーザに限られておらず、ラベル付けされた生体試料２０を可視化するいかなる光源６０でも光源６０として使用することができることが理解される。
【００２８】
ラベルの非限定的な例は、さらにここ（下記の例参照）に提供される。特定の例にしたがって、生体試料２０は、複数の検出可能なラベルを運ぶことができる。したがって、生体試料は、以下に記すように、２、３以上の検出可能なラベルを有することができる。検出可能なラベルは、同一のラベル（例えば信号を強化するために）でありえる。検出可能なラベルは、同じ性質を有するが互いと異なる場合があり、（例えば２枚の異なる蛍光ラベル）、異なる性質を有する（例えば蛍光と電磁ラベル）場合がある、あるいは、その組合せもあり得る（例えば、２つの同一の蛍光ラベルと、第３の異なる蛍光ラベル）。
【００２９】
蛍光を発するとともに、光６５は、ラベル付けされた生体試料２０から散乱し、反射する。光６５は、また、対物レンズ３０によって集められ、ビーム・スプリッタ４０にパスされる。ビーム・スプリッタ４０は、散乱し、反射した蛍光を分離し、散乱し、反射した蛍光を、第２の開口７０を通して、フォト検出デバイス８０へパスする。フォト検出デバイス８０は、光電子増倍管チューブ、ＡＰＤ、相補型ＭＯＳデバイス（ＣＭＯＳ）またはＣＣＤのうちの１つでありえる。例えば散光と反射光など（ただし、蛍光ではない）特定の波長の光を取り除くために、フィルタ（図示せず）を、フォト検出デバイス８０の前に配置することができる。フォト検出デバイス８０は、フォト検出デバイス８０によって受け取られる光信号をコンピュータ１００にパスされる電気信号に変換する。
【００３０】
コンピュータ１００は、コンピュータ１００と、ラベル付けされた生体試料２０の画像を表示できる（または印刷できる）ディスプレイ１２０に接続された画像メモリ１１０を有する。コンピュータ１００は、画像プロセッサ１０５を更に含む。画像プロセッサ１０５は、特殊画像プロセッサか、コンピュータ１００の従来のプロセッサでありえる。画像プロセッサは、ラベル付けされた生体試料２０の画像を処理するように構成される。
【００３１】
本願発明の１つの態様において、光源６５を静止状態に保って、生体試料２０は、平面的に移動させることができる（図１の中のｘ−ｙ軸として示される）。典型的には、生体試料２０は、生体試料２０の表面に入る光６５が生体試料２０の表面ないし体積上で走査するように動くことができるステージ（図示せず）の上へマウントされる。他の態様において、ラベル付けされた生体試料２０を静止状態に保って、光源６０は、平面的に移動させることができる（図１の中のｘ−ｙ軸として示される）。
【００３２】
光検出デバイス８０は、ラベル付けされた生体試料２０の照明された部分からの光信号を記録する。次に、光検出デバイス８０は記録された光信号を電気信号として、コンピュータ１００にパスする。ここで、ラベル付けされた生体試料の２０照明された部分の画像が画像メモリ１１０に格納される。当該技術において知られていているように、ラベル付けされた生体試料２０の画像メモリ１１０の複数の画像部分は、ラベル付けされた生体試料２０の単一の画像を形成するために結合することができる。
【００３３】
例えば、顕微鏡の露光時間、利得、光源６０の電力や、他の設定値を調整するためにフィードバックループを装置１０に含むことがさらに可能である。これらのフィードバックループは、コンピュータ１００に実装することができる。
【００３４】
ラベル付けされた生体試料２０の画像化のための改善が、図２に関して示されるように、ラベル付けされた生体試料２０の画像化のための方法に関連して説明される。
【００３５】
ステップ２００において、ラベル付けされた生体試料２０は、光源６０からの光６５で照明される。ラベル付けされた生体試料２０は、光６５がラベル付けされた生体試料２０の表面の関心領域のすべての部分を連続して照明するように、ステージで移動される。
【００３６】
ステップ２０５において、ラベル付けされた生体試料２０の時系列画像の第１のメンバーは、画像メモリ１１０においてフォト検出デバイス８０によって記録される光信号から生成される。
【００３７】
ステップ２１０において、更なる画像は、ラベル付けされた生体試料２０の関心領域の部分について生成される。更なる画像は、毎秒２コマの率で画像を取ることによって、典型的には生成される。
【００３８】
次に、画像の更なるセットは、ステップ２１０で繰り返し生成される。画像の更なるセットは、時系列画像の相当な数のメンバーが生成されるまで（たとえば毎秒２コマの率で）期間ごとに後繰り返し生成される生成された画像数は、後で説明されるように、要因の数に依存する。典型的には、数百画像もの時系列画像の画像が生成される。
【００３９】
ステップ２１５において、一連のラベル付けされた生体試料２０の差分画像が生成される。ラベル付けされた生体試料２０の差分画像のこの系列は、時系列内の画像と次のあるいは逐次の画像を選択することによってなされる。コンピュータ１００の画像プロセッサ１０５は、次のあるいは逐次の画像を比較して、差分画像を生成する。差分画像の生成は、画像のそれぞれにおけるピクセルの強度を比較することによって行うことができる。
【００４０】
差分画像の系列の結果は、画像メモリ１１０に格納することができる。
【００４１】
時系列における非順次画像が、差分画像を生成するために、互いに比較される、または、微分画像が、最大強度に関して正規化され、（例えば、カールマン）雑音を推定するためのフィルタが使われる、という状況がありえる・ことが、また、理解される。微分画像が正規化されないならば、第１の（より強い）画像の方への固有のバイアスが存在することが理解される。また、ピクセルの合計数にわたって正規化することが可能である。
【００４２】
放射光の強度の個々の揺らぎは、たとえば圧力感知性フォト変換またはフルオロフォア漂白など、主に光物理的イベントに起因する。これらの光物理的イベントは、系列画像の連続したものにおける局所的な減少した強度という結果になる。例えば、増加した局所的な強度、などの個々の揺らぎは、ラベル付けされた生体試料２０における、（検出可能なラベルから生じる）蛍光、ショット雑音と染料点滅を量子化するホモ親和性蛍光共鳴エネルギー転移に起因する場合がある。これらの光物理イベントは、ラベル付けされた生体試料２０における、個々の分子の蛍光と関係しており、次に、画像の中で個別化された分子の正確な局在化に貢献することができる。
【００４３】
数学的フィルタは、ステップ２２０で差分画像の系列に適用される。適用される数学的フィルタは、典型的にはより高い空間周波数にたいして濾過することを目的とするハイパスフィルタであり、ステップ２１５において、フィルタ処理した差分画像を供給するために、生成される差分画像の違いを強調する。これは、差分画像で雑音を減らしているなかで、光漂白のピークの強化という結果になる。
【００４４】
フィルタ処理した差分画像は、ステップ２２５で、次に合計される。フィルタ処理した差分画像の追加は、表示装置１２０の上で次に表示することができるか、あるいは、さらに処理することができるラベル付けされた生体試料２０の最終画像を生成する。フィルタ処理した差分画像の追加は、以下の方程式によって説明することができる。
【数１】
0005969463.tif 000002
【００４５】
ここでＩ(reconstructed)は、最終の生成画像であり、Ｉ（xy）は、時刻t.nにおいて取得された画像のセットのメンバーである。
【００４６】
フィルタリング・ステップについては、以下のトップハット数学的フィルタが、例示的に使用された。
【数２】
0005969463.tif 000003
【００４７】
更なる処理の１つの例は、最終画像を、ラベル付けされた生体試料２０の三次元画像を生成するために従来の共焦点レーザ走査型顕微鏡法によって生成された画像と結合することである。
【００４８】
本願発明の方法は、既存の顕微鏡に取り込むことができるコンピュータ・プログラム製品によって実行することができる。
【００４９】
以下に記す例において、光漂白が、光物理効果として使われる。他の光物理効果を使うことができ、また、この光物理効果と互いに組み合わせることもできることが理解される。ラベル付けされた生体試料２０の全てが、照明される必要があるというわけではないことが、さらに、理解される。照明の任意のパターンを使用することができる。
【００５０】
ラベル付けされた生体試料２０に付着されるラベルは、複数であってもよいことが理解される。つまり、従来の技術において知られていているように、ある程度の冗長性がある。例えば、インビトロゲンによって生み出される二次抗体は、５つの複数のフルオロフォアを持つ。したがって、（下で述べるように）５つの潜在的なラベルがある。
【００５１】
複数のラベリングの理由は、光漂白の間に、構造的情報が決定されることである。上で説明されたように、いくつかの画像は、十分な情報を回復するために取得される。複数のラベリング（ラベリングの冗長性）は、最終生成画像Ｉ(reconstructed)を生成するのに十分な情報を回復するのに、有益である。
【００５２】
これは、典型的生物学的製剤を考慮する以下の例から理解されることができる。読み出される構造的情報と標準的なラベリングと、表現プロトコルを、考慮することができる。次の例は、下の例で説明されるように、Ｂｒｐと微小管を用いる。２５Ｂｒｐ分子が単一のＴバーを形成すると期待される。それは、一次抗体は、それらの抗原を高度な特異性で結びつけていることを意味する。次に、多クローンの二次抗体が使われる。多クローンの二次抗体の複数のものは、一次抗体の単一のものを結びつけることができる。二次抗体は、複数のフルオロフォアでラベル付けされる市販の抗体である。たとえば、インビトロゲン・マニュアルは、免疫グロブリンＧ  Ａｌｅｘａ全体抗体複合体は、２−８フルオロフォアを有することを開示する。
【００５３】
したがって、当業者は、ラベルの５つのフルオロフォアは、標準的な二次抗体の妥当な見積であることを理解する。当業者は、異なるフルオロフォアを持つことができるであることを理解するが、５つのフルオロフォアの各々は、典型的には同一である、したがって、Ｔバーにつき２５０フルオロフォアと推定される。微細管に対して、およそ１３のプロト・フィラメントが、準螺旋形のシリンダー（２５ｎｍの幅）を、１回転が４ｎｍ長で、形成する。それは、構造的情報は５５ｎｍ（２５ｎｍ＋二重二次抗体長×２（２＊１５ｎｍ））であることを意味する。それは、およそ１３回転で１６９抗原の結果になる。微細管結合タンパク質のために、抗原のおよそ半分が利用できるならば、およそ８４０フルオロフォアを期待できる。タンパク質を結合するＧＦＰ接合微細管を使用する場合には、８４フルオロフォアを期待することができる。以下に記すシミュレーションにおいて、５０〜１００の間のフルオロフォアが使用された。ラベル付けされた生体試料２０が準備される方法から、フルオロフォアのクラスタの仮定が合理的であることが分かる。
［例１．インシリコ・モデル］
【００５４】
ここでの開示の方法は、コンピュータでモデル化され、この方法は、次に、いくつかのシミュレーションされた状況の下でテストされた。１６の定期的に配置された蛍光性ラベル付けされた構造のオブジェクトを含んでいるモデルが生成された。１６のラベル付けされた構造の各々は、１００のフルオロフォアを、最初に含み、Ａｂｂｅ（０．５λ／ＮＡ）で定義されるような回折制限の９２％の他のものの各々から離れて配置される（Abbe E (1873)Contributions to the theory of the microscope and the microscopic perception.Arch Mikr Anat 9 : 413-468参照)。１００のフルオロフォアによるモデリングを正当化する理由は、上で概説される。
【００５５】
１６のラベル付けされた構造を含んでいるオブジェクトが、図５ａで示すように１５９．９ｎｍの相互の距離において５５ピクセルの一次元配列でモデル化された。そうすると、ラベル付けされた構造の個々のものの間の距離は、回折制限より短い。シミュレーションされた点広がり関数（ＰＳＦ）は、均一な台地を形成し、したがって、図５ａの一次元の配列の上の相対的強度を図示する図５ｂで示すように、個々のラベル付けされた構造の解像度をじゃまする。ＰＳＦは、Ｎａｓｓｅｔほかの結果を使って、数値的に計算された(Nasset MJ & Woehl JC (2010)."Realistic modelling of the illumination point spread functionin confocal scanning optical microscopy".J. Opt. Soc. Am. A 27: 295-302参照)。それらの積分が１に等しいように、ＰＳＦの個々のものは正規化された。共焦点照明ＰＳＦが単純さのために使用され、１００のフルオロフォアが表現された。
【００５６】
フルオロフォアの（この例における光物理イベントである）次の統計漂白イベントは、１００の画像の時系列の取得の間に、シミュレーションされる。１６のラベル付けされた構造の各々に位置するフルオロフォアの一定の漂白率を仮定する場合には、期間（ｔ、ｔ＋τ）内の漂白剤イベントの数の可能性は、ポアソン・プロセスによって説明される。光漂白は、ポアソン分散ランダム数を、出発状態としての１００分子においてＫ＝５の場合、期待値が以前の値の０．０５倍である出発状態ないし以前の状態から引くことによって、近似される。これは、図５ｃに示される。第１のフレームに対する漂白イベントの期待数は、５（Ｋ＝５）であり、５つの異なる走査に対して、各々１６ポイントにおいて漂白されたフルオロフォアの数が示される。典型的には、微分画像は、光漂白イベントの統計ピークを示す。そのような不均一性光漂白ピークは、微分画像の中で検出可能な強度の最大という結果になる。光漂白（図５ｂ）の前に、台地状を示した強度プロフィールは、次に、フルオロフォアの統計光漂白イベントにおけるピークと谷（図５ｃ、右辺）を示す。対応する微分画像は、下にある１６の個々の点における光漂白イベントに対応する回折限界（光漂白）の最大を表す。１００の微分画像の中の個々の（写真−漂白）最大は、１０の隣接ピクセルのスライディング最大の検出を使って決定された。微分画像は、トップハット・フィルタを使ってフィルタされ、続いて、ヘヴィサイド階段関数によって、マイナス値がゼロにセットされる。最後に、フィルタ処理した微分画像を合計して、回折制限（図５ｄ）より近くに配置される１６ポイントの位置を明らかにする。
【００５７】
本願開示の方法の１つの態様は、微分画像の中で漂白イベントを検出する能力を使用する。漂白率の貢献をテストするために、５５本のピクセル配列で画像化された１６のラベル付けされた構造のモデルが採用され、非常に低い光漂白率が、シミュレーションされ、（未満のフルオロフォア；（フレームにつき１つのフルオロフォアより少なく、Ｋ＝０．１、単一フルオロフォア検出アプローチをまねする）徐々に、より多くの漂白剤イベント（Ｋ＝５とＫ＝１００）が同時に起こる。１６のラベル付けされた構造は、各々、１００のフルオロフォアを有し、光子雑音は、フルオロフォアにつき１００００の光子にセットされた。あるいは、代替の実験においては、フルオロフォア（図５ｇ）につき１０００の光子にセットされた。一つの例を示すよりはむしろ、状態ごとにシリコ実験において、同じことが、１００回繰り返された。平均強度は±ＳＥＭを報告した（図５ｇ）。独立した実験は、再現性を支えるごくわずかなバリエーションしか示さなかった（１６のピークの平均ピーク高さは、１００００の光子、Ｋ＝５のケースに対して、０．４である、個々のラベル付けされた構造上で、最大ＳＥＭで１１であった）。
【００５８】
データは、非常に低い光漂白率があまりに小さい非対称が微分画像の中で検出されるので、より高い光漂白率が１６ポイントを分解することができず、光子雑音の結果としての劣った解像度という結果になることを示す。したがって、回折制限を越えて構造を分解する方法の能力は、画像化された生体試料２０の光漂白率と結合している。この方法が動作する範囲の評価をするために、スパロウ制限（５０／５０のラベリング密度、１００００／１０００の光子）の下で設定された所定の距離に対して２つのガウス・プロフィールの分離が、異なる漂白率に対して測定された。図５Ｈ（５００の繰返しの平均が示される）は、極値は別として、２つの構造は、光漂白率の幅広い範囲において、よく分離されていることを示す。分離の値は、ｙ軸で曲線をシフトして実際の距離から変動することができることに留意する。
【００５９】
本願開示の方法の解像度限界を近似するために、スパロウ基準の下で２つの構造が、２つのガウス・プロフィールを使った上記のシミュレーションと同様に、シミュレーションされた（２５／２５のラベリング密度、Ｋ−２．１、１００００の光子）。１．４のＮＡ対物レンズと５００ｎｍにおける蛍光放射を考慮し、画像の上で、レーリー基準を適用することにより、（０．６１λ／ＮＡ、それは、２つの構造の間で２０％のディップに対応する）この例における解像度限界は、通常の光学顕微鏡法解像度のおよそ半分であると見積もることができる（２１８ｎｍではなく１０７ｎｍ）。
【００６０】
より複雑な二次元のテスト画像が、図６に示される。「ＰＩＭＰ」という語がフォト漂白されて、画像化されている。図６の第１の線は、時間上の語（オブジェクト）を示す。語がフォト漂白されて、認識できなくなった。第１００番目の画像の強度は、第１００番目の画像は、さもなければ事実上見えないので、増加したのであることに留意すべきである。
【００６１】
２本目の線は、その語がどのように共焦顕微鏡で画像化されるかを示す。時間とともに、語がぼやけるのを見ることができる。ここでも、第１００番目の画像は、強度が増えている。３本目の線は、微分画像を示す（すなわち第１および第２の画像の微分画像、第９と第１０の画像の間の微分画像、第１９と第２０の画像の間で微分画像、そして、最後に第１００と第９９の画像の間の（高輝度）微分画像）。３本目の線のこれらの微分画像は、適用されたトップハット・フィルタの非線形の変形を有する（マイナス値は非線形性を導入するためにゼロにとめられた）。使用されたトップハット・フィルタは、最も高い最大を選び出し、そして、また、いかなる第二のピークも考慮する。
【００６２】
最後に、５本目の線は、シーケンシャルなフィルタ処理した微分画像の合計を示す第１の画像（ＰＩＭＰに１−１０とラベルをつけた）の方法の使用を示す（すなわち１−２、２−３、３−４、４−５、５−６、６−７、７−８、８−９、９−１０）。同様に、第２の画像（ＰＩＭＰ１−２０とラベルをつけた）が、第２０番目の画像（２本目の線の上の第３の画像）まで、シーケンシャルなフィルタ処理した微分画像の全てを含む。第３番目の画像（ＰＩＭＰに１−１００とラベルをつけた）は、第１００番目の画像（２本目の線の上の第４の画像）まで順次フィルタ処理した微分画像の全てを含む。この例は、本願開示の方法が、たとえ生画像がぼやけるとしても、語に関して情報の回復を可能にすることを示す。
【００６３】
また、たとえば、バンドパス・フィルタリングによって、またはウィーナーフィルタリングなど、画像に関してデータを前処理することも、考えられる、前処理は漂白の可視性を強化することができ、雑音を抑制することができる。
［例２］
【００６４】
図３ａは、本願開示に従ってデータが処理される方法の更なる例を表す。この例は、生体試料２０として５１５ｎｍで発光するインビトロゲン（カールズバッド、カリフォルニア）によって供給される４０ｎｍのビーズを利用する、系列画像の個々のメンバーは、画像１から最後の画像ｎまで示され、第１カラムの中にオリジナル走査画像を含み、第２のカラムの中に差分画像を含む。第３のカラムは、フィルタ処理した差分画像を示す。
【００６５】
図３ａ（ｎライン）の第４行は、ｎ画像の時系列の終わりに、蛍光画像は見られないことを示す。差分画像（第３のカラム）は、興味領域について何も現さないことが予期される。図３ａの第４行の第４のカラムは、（ｎ−１）差分画像の全ての合計を示す。
【００６６】
図３ｂは、図３ａの一番上の線で、矢印で示される線プロフィールのための正規化強度分布を示す。半値全幅（ＦＨＭＷ）は、本願発明によって、従来の共焦点顕微鏡法と比較して減少する。つまり、４０ｎｍのビーズは、従来の共焦点顕微鏡法によって観察されるときに、本願発明によって、＞１６０ｎｍと比較して７０ｎｍの直径で観察することができることが分かる。
［例３］
【００６７】
微細管は、マウス胎生期線維芽細胞（ＭＥＦ）で免疫標識され、図４に示される。
【００６８】
図４Ａは、共焦点顕微鏡を用いた第１の画像を示し、図４Ｂは、共焦点顕微鏡を用いて撮られた９６のシーケンシャルな系列画像の合計を示す。図４Ｃは、トップハット・フィルタを使ってフィルタに通される図４Ｂの画像を示す。一方、図４Ｄは、この開示の教示を使って得られた画像を示す。
【００６９】
免疫ラベル付けされた微細管の細胞は、共焦点顕微鏡１０を用いて、２０２回走査された。生体試料の進行的な漂白という結果になった（図４Ｆ）。画像の個々のものは、微分画像を生成するために互いに引かれ、微分画像の中の最大は、マイナス値の０クリッピングと結合され、トップハット・フィルタを使って強化された。合計されたフィルタ処理した微分画像（図４Ｄ）は、ラベル付けされた微細管を、１つのエアリー（Ａｉｒｙ）に対応するピンホールを使用して（図４Ｂ）、通常の共焦点像取得と比較して、より高い解像度に現した。この方法は、微分画像（図４Ｃ、４Ｅ）の上で使われる前処理ステップの対象となる共焦点画像よりよく微細管を現す（図４Ｂ）。異なる深さの免疫ラベル付けされた微細管の走査は、免疫ラベル付けされた微細管の複雑な三次元細胞小器官組織の分析を可能とする（図４Ｇ）。
【００７０】
ＭＥＦは、１０％ＦＣＳを補ったＤＮＥＮ／Ｆ１２で成長し、ＰＢＳで４％のパラホルムアルデヒドで固定され、直接免疫蛍光法で処理された。ＭＥＦの微細管は、α−ｔｕｂｕｌｉｎに対してｍＡｂを使用し（Ｓｉｇｍａによって供給されたｍＡｂ  ＤＭＩＡ）、続いてＡｌｅｘａ−５６８複合化ヤギ抗マウス二次抗体（インビトロゲンによって供給される）を使用して、免疫標識された。ＭＥＦの活性のもの（例９）は、メーカーの指示によって、リポフェクタミン２０００（インビトロゲンから）とダブルコルチン−ＧＦＰ（フォームドクターケスター）でトランスフェクションされた。
［例４］
【００７１】
本願開示の方法が、活性領域関連のＢｒｕｃｈｐｉｌｏｔタンパク質（ＢＲＰ）に対して免疫標識された、ラベル付けされたシナプス活性領域（いわゆるＴバー）の時系列画像を得るために、ショウジョウバエ神経筋接合部（神経筋接合部（ＮＭＪ））生体試料に適用された。上記は、「R. J. Kittel他、Science 312, 1051 (19 May 2006)」により知られる。
【００７２】
三齢野生型ショウジョウバエ幼虫が固定され、「Fouquet他、 J. Cell Biol. 186, 129 (13 July 2009)」により以前に記述された免疫染色の処理をされた。野生型とＧＦＰタグ構成を表す変異体を用いた。以下の抗体とＧＦＰタグ構成が使用された：Ｃ末端ＢＲＰを認識する単クローン抗体ＮＣ８２（ｍＡｂ  ＮＣ８２）(Developmental Studies Hybridoma Bank, Iowa)；Ｎ末端ＢＲＰを認識するポリクローナル抗体ＢＲＰ−Ｎ−ｔｅｒｍ(S. Sigrist, FU Berlinから)(Fouquetその他, J. Cell Biol. 186, 129 (13 July 2009))；ＧＦＰタグ構成ＵＡＳ−ＧｌｕＲＩＩＡ（GAL4ドライバなしのGFPタグ・グルタミン酸塩受容体タイプIIAを表す）(S. Sigrist, FU Berlinから)。二次抗体は、Ａｌｅｘａ−４８８、パシフィックブルーとＡｌｅｘａ−５５５（インビトロゲンからの蛍光染料）に接合された。使用されたレーザ線は、青励起のための４０５ｎｍ、緑励起のための４８８ｎｍと赤励起のための５６１ｎｍであった。
【００７３】
ラベル付けされたシナプスは、小出力の通常の共焦点顕微鏡を用いて３００回走査された（１５０ｍＷのレーザ・モジュールの１％が低い漂白率を供給するために使われた）。使われた顕微鏡は、ニコン（株）、東京、日本からのＴＩ２０００倒立顕微鏡の上に搭載されたニコンＡＩ  Ｒ共焦点ユニットであったこの顕微鏡は、１．４０のＮ．  Ａ．によるＰｌａｎ  Ａｐｏ  ６０ｘ油浸レンズを備えていた。Ｐｌａｎ  Ａｐｏ  ６０ｘ油浸レンズは、いくつかの収差、視野平面性、色収差に対して修正される対物レンズである。
【００７４】
時系列画像のシーケンシャルなものは、図４で示すように、拡張解像度でＢＲＰ点の再構築を可能にするために、引かれた。図４Ｋは、従来の共焦点レーザ走査型顕微鏡法を使用した結果を示し、図４Ｌは、本願開示の方法による結果を示す。
【００７５】
本願開示（図４Ｌ）による結果がＢＲＰ−ＮＣ８２抗原のリング状外観を示すことが明らかに観測される。従来の技術システムにおいて、ＢＲＰ−ＮＣ８２抗原のリング状の外観は、「Kittel 他, Science, 312, 1051 (19 May 2006)」で報告された超解像誘導放射抑制顕微鏡法(ＳＴＥＤ：Stimulated Emission Depletion)によってのみ視覚化することができた。
【００７６】
さらに、透過型電子顕微鏡（ＴＥＭ）に視覚化されたＴバーのサイズは、本願開示によって、測定した内リング直径と、非常によく合致する（図４Ｍ）。透過型電子顕微鏡によって視覚化されたＴバーのサイズの比較、および、本願開示を、図４Ｎに示す。ここで、バーＰＩＭＰは、本願開示の結果であり、バーＥＭは、透過型電子顕微鏡を使っている結果である。生体試料の構造が、図４０に示される。解剖した三齢野生型幼虫が、「Kasprowicz et al, J Cell Biol 182, 1007 (8 Sept 2008)」に以前に記載されたように、ＴＥＭのために処理された。シナプス・ボタンとＴバーの電子顕微鏡写真が、００ｋＶで作動するＪＥＯＬ２１００のＥＭ顕微鏡を用いて、得られた。Ｔバー・サイズは、３匹の動物からとられた１９のＴバーの「テーブル・トップ」長として測定された。
【００７７】
本願開示の方法に対して、図４Ｎで示すＴバーの環サイズは、１９のＴバーの内リング直径として測定された。
［例５］
【００７８】
本願開示の教示を、ナノスコピック・レンジの解像度における多色の画像化に使用することができる。
【００７９】
「W. Fouquet 他, J Cell Biol 186 129 (13 July 2009)」から、ＢＲＰは、シナプス後グルタミン酸塩受容体クラスタに対して、Ｔバー内のクラスタで適応することが知られている。三色方法が、ラベルＢＲＰ−ＮとＣ末端特異抗体とグルタミン酸塩−レセプター−ＧＦＰ（例４）と、図４Ｐおよび４Ｓで示される隣接ドメインを明確に示すのに用いられた。したがって、複数の色方法は、マクロ分子構造の特別な解像度を可能にする。
【００８０】
図４０は、Ｂｒｕｃｈｐｉｌｏｔタンパク質および、シナプスのグルタミン酸塩受容体クラスタの組織のモデルを示す。図４０で示すこのモデルは、以前提案され、「W. Fouquet 他, J Cell Biol. 186, 129 (Jul 13, 2009)」の論文に記載されている。しかしながら、「W. Fouquet 他, J Cell Biol. 186, 129 (Jul 13, 2009)」に記載されたセットアップは、１つの超解像度チャンネルだけを有しており、Ｗ．フーケほかの教示による結果は、構造を決定するために、長い時間を要した。
【００８１】
図４Ｐ、４Ｑおよび図４Ｒは、図４０に示される特徴の個々の部分の画像を示す。
【００８２】
図４Ｓに、三色チャンネルのオーバーレイが使用された図４Ｐ、４Ｑおよび４Ｒで示す特徴の完全な組合せが示される。
【００８３】
図４Ｐにおいて、Ｂｒｕｃｈｐｉｌｏｔタンパク質のＮＣ８２染色が示されれ、図４Ｌ、図４Ｑにおいて、シナプス後側でグルタミン酸塩受容体を示すように、環構造が示される。図４Ｒは、ＢＲＰのＮ末端側を示す。
【００８４】
図４Ａ−４Ｇの結果は、本願開示の教示が、三色超解像度測定のために使ることができること、単一の超解像度方法を用いて異なる生体試料を使って考え出されたＷ．フーケほかによって以前に記述されたモデルを確かめることができることを示す。複数色チャンネルをハイライトする図４Ｐ、４Ａおよび４Ｒの結果は、マルチカラー超解像度画像を作るために、本願開示により用いることができ、そしてそれは従来の方法と比較して本願開示の融通性を示す。
［例６］
【００８５】
本願開示は、３次元での複雑な微小管性ネットワークの画像化を可能にする。その結果は、図４Ａ〜４Ｇに示される。図４Ａは、複雑な微小管性ネットワークの共焦点画像を示し、図４Ｄは、本願開示による、複雑な微小管性ネットワークの画像を示す。図４Ａの中のスケールバーは、１μｍである（図４Ａ〜４Ｇにおいても同一値）。図４Ｄにおいて、本願開示によって、解像度は、従来の技術に比較的に明らかにより大きい。
【００８６】
図４Ｇも、本願開示の方法を用いて、従来の共焦点レーザ走査型顕微鏡によって生成された画像と、本願開示によって生成される画像を組み合わせることよる、三次元画像の生成を図示する。三次元画像が図４Ｇに示され、３−Ｄ−ＰＩＭＰとして参照される。
【００８７】
ＭＥＦ細胞は、１０％のウシ胎仔血清（ＦＣＳ）を補ったＤＭＥＭ／Ｆ１２の細胞培養培地で成長し、リン酸緩衝液（ＰＢＳ）で、４％のパラホルムアルデヒドで固定された。次に、これは、間接蛍光抗体法で処理された。ＭＥＦ細胞の微小管は、α−ｔｕｂｕｌｉｎ（ｍＡｂ  ＤＭＩＡ、Ｓｉｇｍａ）に対して単クローン抗体（ｍＡｂ）、続いて、Ａｌｅｘａ−５６８複合化ヤギ抗マウス二次抗体（インビトロゲン）を用いて免疫標識された。ＲＰＥ細胞は、蛋白ＲＥＰｌｐ、ＧＭ１３０、ＧＭＡＰ２１０に対してトリプル免疫染色された。内因性ＲＥＲｌｐは、主に、中間コンパートメント（ＩＣ）に存在し、（「Spasic 他, J Cell Biol 176, 629 (2007)」）ＧＭ１３０とＧＭＡＰ２１０の両方は、シス・ゴルジの異なったサブドメインに局所化される（「Cardenas 他, BMC Biol. 7, 56 (2009)」）。ＧＭ１３０とポリクローナル抗体ＧＭＡＰ２１０に対する単クローン抗体は、「Biosciences」と「Cardenas他」グループによって、それぞれ供給された。純化されたＲＥＲｌｐポリクローナル抗体（「Spasic 他, J Cell Biol. 176, 629 (2007)」）は、メーカーの説明によると、Ａｌｅｘａｆｌｕｏｒ−５５５(Zenon, Pierce)に直接接合された。ＧＭ１３０とＧＭＡＰ２１０は、ヤギ反ウサギと抗マウス二次抗体（インビトロゲン）をそれぞれ接合したＡｌｅｘａ−４８８とＡｌｅｘａ−６４７を用いてラベル付けされた。
［例７］
【００８８】
本願開示は、図４Ｔを参照して見られるように決定するために、始原海馬ニューロンのポスト−シナプス部位からプレ・シナプス部位の区別と解像度を可能にする。また、本願開示の教示もまた、図４Ｕに参照して見られるように、並設された中間のコンパートメントとＲＰＥ細胞のシス・ゴルジ槽の区別と解像度を可能にする。本願開示発明による結果は、図において「ＰＩＭＰ」として参照され、従来の技術の図では、「共焦点」として参照される。本願開示による図は、従来の技術の教えにしたがって、生成された図より、より大きな解像度を持つことは、明らかである。ＲＰＥ細胞は、１０％のウシ胎仔血清（ＦＣＳ）を補ったＤＭＥＭ／Ｆ１２の細胞培養培地で成長した。リン酸緩衝液（ＰＢＳ）で、４％のパラホルムアルデヒドで固定された。
【００８９】
始原海馬ニューロンは、胎生期日１７ネズミ胚に由来し（生体外（ＤＩＶ）の１７日）、完全に区別される（２１のＤＩＶ）まで、膠フィーダー層のもとで培養された。固定ニューロンのシナプスは、ポスト−シナプスタンパク質ＰＳＤ９５（ポリクローナル抗体（ｐＡｂ）Ｂ１０２、インビトロゲン）とシナプス前シナプトフィジン（Ｓｙｎ）（クローンＳＶＰ３８（Ｓｉｇｍａ）から生じたｍＡｂ）に対して抗体で免疫標識され、Ａｌｅｘａ−４８８、Ａｌｅｘａ−５６８接合ヤギ反ウサギ・マウス二次抗体を用いて視覚化された。蛍光ＤＡＰＩ核酸着色（４′、６−ジアミジノ−２−フェニルインドール）が、核を染色するのに用いられた。
［例８］
【００９０】
ゆっくり進行するプロセスをライブでの画像化（フレーム：分）のために、ＧＦＰにタグを付けられたダブルコルチン（ＤＣＸ）、ＭＥＦｓ（図４Ｈ〜４Ｊ）のニューロン微細管結合タンパク質をもう一度表すことによって、本願開示の方法が使用された。２５秒にわたる０．５Ｈｚの微分画像が生成され、１つの時点に、５０画像を割り当てた。この時点内において、ミクロ細管を結びつけているフルオロフォアの全てが漂白されたわけではなく、おそらく、続くの時点において、５０の画像（いわゆるＦＲＡＰ効果）の漂白系列を生成するために使用することができるフルオロフォアの新しいものが、組み込まれた。このように、時間分解能が分の範囲であるが、微細管の成長をモニターすることがライブで、本願開示の方法を用いたナノスコピック解像度であることは、まだ可能である。達成できる時間分解能は、主に描画速度と画像を再構築するために必要な微分画像の数に依存している。しかしながら、ＰＡＬＭ画像化とは異なり、再構築のために必要とされる画像の数は非常に少ない。
［例９］
【００９１】
前記の例は、高いＮＡレンズ付きの共焦顕微鏡１０を用いた、この開示の方法を図示した。ショウジョウバエ神経筋接合部（ＮＭＪ）のシナプス・ボタンにおける後シナプス・マーカ・シンダピンが、異なる対物レンズを用いた広視野システムで、画像化された。図７Ａでは、０．４５ＮＡ２０ｘレンズが使用された。個々のボタンの広視野画像は、場構造として現れる。同じ対物レンズとカメラを使用して、同一領域を多数回画像化し、この開示の教示によってデータを処理することで、シナプス領域の論文を可能にする解像度の増加を現した（図７Ａ〜７Ｃ）。
【００９２】
１．４ＮＡ  １００ｘレンズが、また、用いられ（図７Ｅ）、シンダピンのラベルが付いた神経筋接合部（ＮＭＪ）の広視野画像が得られた。これらの状況の下の画像化は、シンダピン・ラベルの後シナプス蓄積を明らかにする。この開示の教示による例の広視野画像の処理は、シンダピン・ラベルは、ＤＬＧ／ＰＳＤ  ９５を含む他のシナプス後性局所化蛋白と同類の並べて置かれたシナプス側の別々の焦点に集中することを示す（図７Ｆ）。これらの所見は、共焦点顕微鏡法を使って確かめられた（図７Ｇ、７Ｈ）。
［例１０］
【００９３】
ここで開示した方法は、外科的なセッティングで使われる稼動中の顕微鏡に取り込むことができる。そのような稼動中の顕微鏡は、典型的には、殺菌することが可能で、患者と実質的に直接に接するように配置可能でありえるコンポーネントを含む。患者の関心領域の生物組織は、フルオロフォアのラベルで染めることができ、着色された生物組織は、レーザ光線で照明される。
【００９４】
外科医は、モニターで生物組織を見ることができ、取り除かれる必要がある不健康な生物組織を取り除くことができる。一方、実質的に、除去される必要はない健康な組織を保つことができる。例えば、エミッタで腫瘍にラベルをつけることが、できる。健康な組織を保ちつつ、外科医はガン組織を取り出すことができる。
【００９５】
［画像化］
【００９６】
図７Ａ−Ｆで得られる画像以外のすべての画像化は、Ｔｉ２０００の倒立顕微鏡（ニコン株式会社、東京）に搭載されたＮＩＫＯＮ  ＡＩＲ共焦点ユニットを使って実行された。この顕微鏡は、Ｐｌａｎ  Ａｐｏ  ６０ｘ液浸レンズ（ＮＡ  １．４０）を備えていた。０．１μｍ小球体（ビーズ）は、ニコン１．４のＮＡ油浸レンズを備えたＲａｄｉａｎｃｅ２１００共焦点顕微鏡を用いて、画像化された。図７Ａ−Ｄにおいて、０．４５のＮＡ  ２０ｘレンズ付きの広視野システムが使用された（IN Cell Analyzer、GE Healthcare）。図７Ｅ−Ｆにおいて、６３×１．４のＮＡ油浸レンズを備えているツァイス直立部分顕微鏡が使用された。Ｑｉｍａｇｉｎｇ  ＱＩＣＡＭカメラ（サリー、ＢＣ、カナダ）および、シャッターは、μＭａｎａｇｅｒソフトウェアにより駆動された。サンプルは、表１にリストされる画像化状況を使って、シーケンシャルに画像化された。
【表１】
0005969463.tif 000004
画像化状況と抗体希釈レーザ強度は、オフル(Ophir Optronics, Jerusalem)ノバ・レーザ・パワーメータを使って測定された。
【００９７】
本願発明の種々の実施形態が上で記述されるが、それらは例証として紹介されているのみであり、それらは制限でないことを理解すべきである。発明の要旨を逸脱しない範囲で、形態および細部の種々の変化は、その範囲でなされることができることは当業者にとって明らかである。
【００９８】
特許によって保護の望むことは、以下の特許請求の範囲において述べられる。
【符号の説明】
【００９９】
１０    顕微鏡
２０    生体試料
３０    対物レンズ
４０    ビーム分離器
５０    開口
６０    光ソース
６５    光
７０    第２の開口
８０    光検出デバイス
１００    コンピュータ
１０５    画像プロセッサ
１１０    画像メモリ
１２０    ディスプレイ・デバイス
２００    生体試料を照明
２０５    画像を生成
２１０    画像化を繰り返す
２１５    差分画像を生成
２２０    フィルタを適用
２２５    最終画像を生成
２３０    三次元画像を生成
【図１】
0005969463.tif 000005
【図２】
0005969463.tif 000006
【図５】
0005969463.tif 000007
【図３】
0005969463.tif 000008
【図４】
0005969463.tif 000009
【図６】
0005969463.tif 000010
【図７】
0005969463.tif 000011